(57)【要約】【課題】ユーザが表示モードが何であるかを意識することなく、自分が選択した入力手段により画面上の選択項目を選択できるようにする。【解決手段】入力手段として、液晶ディスプレイ６の前面に設けたタッチパネル７と、液晶ディスプレイ６の前面パネルの一部に設けた受光部１０に対して赤外線を発するリモコン９とを備え、ＣＰＵ２０がタッチパネル７からの入力かまたはリモコン９からの入力かを判別し、タッチモード／リモコンモード切替手段２１が表示画面をいずれかの入力に対応するモードに切り替える。リモコン９の代わりに、マイク１３および音声認識装置１５による音声入力モードとタッチ入力モードとを、同様にして切り替えるようにしてもよい。【選択図】  図１
2004252820.tif 000002
【特許請求の範囲】
【請求項１】
タッチ入力手段および外部入力手段と、前記タッチ入力手段または前記外部入力手段からの入力に応じて表示画面に画像を表示する画像表示手段と、前記タッチ入力手段からの入力かまたは前記外部入力手段からの入力かを判別して、前記表示画面を前記いずれかの入力に対応するモードに切り替える制御手段とを備えたことを特徴とする画像表示装置。
【請求項２】
前記制御手段は、タッチ入力モードで画像を表示中に前記外部入力手段から入力があった場合には、表示画面を外部入力モードに切り替えることを特徴とする請求項１記載の画像表示装置。
【請求項３】
前記制御手段は、外部入力モードで画像を表示中に前記タッチ入力手段から入力があった場合には、表示画面をタッチ入力モードに切り替えることを特徴とする請求項１または請求項２記載の画像表示装置。
【請求項４】
前記制御手段は、表示画面を切り替える際に、表示されている画面の次の表示画面に切り替えることを特徴とする請求項１から請求項３のいずれかに記載の画像表示装置。
【請求項５】
タッチ入力モード時に前記表示画面に表示される選択項目は、外部入力モード時に表示される選択項目よりも大きく表示されることを特徴とする請求項１から請求項４のいずれかに記載の画像表示装置。
【請求項６】
タッチ入力モード時に前記表示画面に表示される選択項目数は、外部入力モード時に表示される選択項目数よりも少なく表示されることを特徴とする請求項１から請求項５のいずれかに記載の画像表示装置。
【請求項７】
前記外部入力手段が、遠隔操作装置または音声入力装置であることを特徴とする請求項１から請求項６のいずれかに記載の画像表示装置。
【請求項８】
請求項１から請求項７のいずれかに記載の画像表示装置を備えたことを特徴とする車載用ナビゲーション装置。
【請求項９】
タッチ入力手段からの入力かまたは外部入力手段からの入力かを判別して、タッチ入力モードで画像を表示中に前記外部入力手段から入力があった場合には、表示画面を外部入力モードに切り替え、外部入力モードで画像を表示中に前記タッチ入力手段から入力があった場合には、表示画面をタッチ入力モードに切り替えることを特徴とする画像表示方法。
【発明の詳細な説明】
【０００１】
【発明の属する技術分野】
本発明は、液晶ディスプレイ等の画面上に表示された画像の中から入力手段を用いて必要な項目を選択する画像表示装置に関する。
【０００２】
【従来の技術】
従来、パソコンや携帯情報端末、車載用のナビゲーション装置等においては、ディスプレイ上に表示された画像の中から必要な項目の選択を、ディスプレイ画面の前面に配置されたタッチパネルや、赤外線を使用した遠隔操作装置であるリモコン、さらにはディスプレイ画面の周辺のパネル部に設けられたパネルスイッチなどを用いて行っている。タッチパネルを用いた場合の選択項目の表示画面と、リモコンを用いた場合の選択項目の表示画面とは、それぞれの表示モードに適するように、例えばタッチ入力モードでは、指先による選択が可能なように選択項目が大きめに作られており（例えば、特許文献１参照。）、リモコンモードでは、多くの選択項目が表示できるように選択項目が小さめに作られている。別の装置として、表示画面が常時タッチ入力モード用に作られていて、タッチによる選択とリモコンによる選択の両方が可能な装置も知られている。
【０００３】
【特許文献１】
特開平５−１２７５９６号公報（第３ページ、図８）
【０００４】
【発明が解決しようとする課題】
しかしながら、上記従来の画像表示装置では、タッチパネルを使用した場合の選択項目の表示画面と、リモコンを使用した場合の選択項目の表示画面とは、それぞれのモードに適するようにデザインやサイズ等が考慮されているにも拘らず、ユーザにはどちらのモードで表示されているかが分からないため、タッチ入力モードで表示されている選択項目をリモコンで選択しようとしてリモコンを操作したり、リモコンモードで表示されている選択項目をタッチパネルにより選択しようとすることがあった。このような場合には、ユーザは操作を何回か繰り返して初めて間違いに気が付くか、またはビープ音が出力されて間違った操作をユーザに知らせるようになっていたりするが、いずれにしても、ユーザが操作することで、リモコンモードの表示とタッチ入力モードの表示を切り替える必要があった。
【０００５】
また、表示画面が予めタッチ入力モード用に作られて、タッチパネルとリモコンによる選択の両方が可能な装置の場合は、表示された選択項目がタッチ入力モード用に作られているため、１画面に多くの選択項目を表示することができないという問題があった。また、表示画面が予めリモコンモード用に作られて、タッチパネルとリモコンによる選択の両方が可能な装置の場合、表示された項目がリモコン入力モード用に作られているため、タッチ操作するには小さい選択範囲となってしまうという問題があった。
【０００６】
本発明は、このような従来の問題を解決するものであり、簡単な操作によりタッチ入力モードの表示画面とリモコン等の外部入力モードの表示画面とを切り替えることのできる画像表示装置およびこれを使用した車両用ナビゲーション装置を提供することを目的とする。
【０００７】
【課題を解決するための手段】
上記目的を達成するために、本発明の画像表示装置は、タッチ入力手段および外部入力手段と、前記タッチ入力手段または前記外部入力手段からの入力に応じて表示画面に画像を表示する画像表示手段と、前記タッチ入力手段からの入力かまたは前記外部入力手段からの入力かを判別して、前記表示画面を前記いずれかの入力に対応するモードに切り替える制御手段とを備えたことを特徴とするものである。この構成により、ユーザは表示モードがタッチ入力モードであるか、外部入力モードであるかを意識することなく、自分が選択した入力手段により画面上の選択項目を選択することができる。
【０００８】
また、本発明の画像表示装置は、前記制御手段は、タッチ入力モードで画像を表示中に前記外部入力手段から入力があった場合には、表示画面を外部入力モードに切り替えることを特徴とするものである。この構成により、リモコン等により選択操作を行った場合には、表示画面がタッチ入力モードであろうと、外部入力モードであろうと、そのままリモコン等による選択操作を継続することができる。
【０００９】
また、本発明の画像表示装置は、前記制御手段が、外部入力モードで画像を表示中に前記タッチ入力手段から入力があった場合には、表示画面をタッチ入力モードに切り替えることを特徴とするするものである。この構成により、タッチパネル等により選択操作を行った場合には、表示画面が外部入力モードであろうと、タッチ入力モードであろうと、そのままタッチパネルによる選択操作を継続することができる。
【００１０】
また、本発明の画像表示装置は、前記制御手段が、表示画面を切り替える際に、表示されている画面の次の表示画面に切り替えることを特徴とするものである。この構成により、ユーザは操作を繰り返すことなく、次の表示画面から必要な項目を選択することができる。
【００１１】
また、本発明の画像表示装置は、タッチ入力モード時に前記表示画面に表示される選択項目は、外部入力モード時に表示される選択項目よりも大きく表示されることを特徴とするものである。この構成により、タッチ入力モードにおいては選択項目を容易に選択することができ、外部入力モードにおいては多くの選択項目を表示することができる。
【００１２】
また、本発明の画像表示装置は、タッチ入力モード時に前記表示画面に表示される選択項目数は、外部入力モード時に表示される選択項目数よりも少なく表示されることを特徴とするものである。この構成により、タッチ入力モードにおいては選択項目を誤りなく選択することができ、外部入力モードにおいては多くの選択項目の中から必要な項目を任意に選択することができる。
【００１３】
また、本発明の画像表示装置は、前記外部入力手段が、遠隔操作装置または音声入力装置であることを特徴とするものである。この構成により、リモコン、パネルスイッチ、マイクなどの任意の入力手段を用いることができる。
【００１４】
また、本発明は、上記のいずれかに記載の画像表示装置を備えたことを特徴とする車載用ナビゲーション装置である。この構成により、運転に支障を与えることなく、車載用ナビゲーション装置の表示制御を行うことができる。
【００１５】
また、本発明は、タッチ入力手段からの入力かまたは外部入力手段からの入力かを判断して、タッチ入力モードで画像を表示中に前記外部入力手段から入力があった場合には、表示画面を外部入力モードに切り替え、外部入力モードで画像を表示中に前記タッチ入力手段から入力があった場合には、表示画面をタッチ入力モードに切り替えることを特徴とする画像表示方法である。この方法により、ユーザは表示モードがタッチ入力モードであるか、外部入力モードであるかを意識することなく、自分が選択した入力手段により画面上の選択項目を選択することができる。
【００１６】
【発明の実施の形態】
以下、本発明の実施の形態について図面を参照して説明する。図１は本発明の画像表示装置を備えた車載用ナビゲーション装置の構成を示している。図１において、方位センサ１は、３次元ジャイロが使用され、自車の進行方位を検出する。車速センサ２は、本装置を搭載した車両の車輪の回転数に応じた車速パルスを発生する。各種センサ３は、リバーススイッチ、パーキングスイッチ、ライトスイッチなどであり、車両の走行状態を検出する。ＤＶＤ−ＲＯＭ４は、地図データや音声データ、音声認識辞書データなどが記録されている。ＤＶＤ−ＲＯＭドライブ５は、ＤＶＤ−ＲＯＭ４から地図データや音声データ、音声認識辞書データなどを読み出すものである。液晶ディスプレイ６は、地図および現在の自車位置、方位、操作メニューなどを表示するものであり、その表示画面前面にタッチパネル７を備えている。ＧＰＳ受信機８は、ＧＰＳアンテナで受信した複数の衛星からの電波を演算することで自車の現在位置（緯度・経度）を求めるものである。リモコン９は、タッチモードとリモコンモードとを切り替えるための操作ボタンやその他の操作ボタンを有する。液晶ディスプレイ６の前面パネルの一部に設けられた受光部１０は、リモコン９からの赤外線を利用した信号を受信する。これらＤＶＤ−ＲＯＭドライブ５、液晶ディスプレイ６、タッチパネル７、ＧＰＳ受信機８等は、一体化されて車両のダッシュボード上に配置され、車内ＬＡＮ２３を通じて装置本体１１の通信インターフェース２２に接続されている。装置本体１１は、車両のトランクルームや車内のセンターコンソールなどに設置される。
【００１７】
装置本体１１において、センサ信号処理部１２は、方位センサ１からの信号を基に車両の進行方向を算出するとともに、車速センサ２からの車速信号から走行距離を算出し、さらに各種センサ３からの信号を基に車両の走行状態を検出して、制御に必要な信号を生成する。マイク１３は、車内の運転者近傍に配置され、使用者からの発声語句を入力するものである。スピーカ１４は、検索結果や音声認識結果、走行ルート上の交差点案内、分岐案内、料金所案内、出口案内などの音声案内、リモコンでの操作内容を音声で指示したりする場合に使用される。音声認識装置１５は、マイク１３から入力された言葉の音声認識を行う。記憶部１６は、プログラムを格納したＲＯＭや作業データを一時的に格納するＲＡＭ、画像データを格納するＶＲＡＭなどから構成されている。画像プロセッサ１７は、メニューデータや地図データ、自車の現在位置データ、建物データなどに基づき表示画像の生成処理を行う。表示制御部１８は、タッチモード時およびリモコンモード時において、それぞれ必要な画像データを画像プロセッサ１７から読み出してＣＰＵ２０に渡す。音声プロセッサ１９は、音声認識結果を音声信号に変換したり、検索結果や走行ルート上の音声案内、リモコンでの操作内容を表す音声信号をスピーカ１４に出力する。ＣＰＵ（中央処理装置）２０は、装置全体を制御するものであり、タッチパネル７からの入力かまたはリモコン９からの入力かを判別して、表示画像を入力に対応するモードに切り替えるタッチ入力モード／リモコンモード切替手段２１を有する。通信インターフェイス２２は、ＤＶＤ−ＲＯＭドライブ５の外部装置と装置本体１１との通信を制御する。
【００１８】
次に、本実施の形態における動作について、まずナビゲーション装置の基本動作について説明する。図１において、車両のエンジンをかけると、装置の電源がオンになり、液晶ディスプレイ６にはメニュー画面が表示されるとともに、ＣＰＵ２０が現在位置検出プログラムを起動させ、ＧＰＳ受信機８からの位置情報と、方位センサ１および車速センサ２からの信号をセンサ信号処理部１２により処理したデータを基に、自車の正確な現在位置を算出する。この自車位置情報に基づき、ＣＰＵ２０が、ＤＶＤ−ＲＯＭドライブ５を通じてＤＶＤ−ＲＯＭ４から該当する地図データを読み出し、画像プロセッサ１７により画像データに変換して記憶部１６のＶＲＡＭに一旦記憶した後、色信号に変換して通信インターフェイス２２を通じて液晶ディスプレイ６の画面上に自車位置とともに表示する。また、マイク１３を通じて目的地などの住所名を入力すると、音声認識装置１５の音声認識機能によりその住所名を認識し、目的地が設定される。目的地が設定されると、ＣＰＵ２０は、経路探索プログラムを起動し、設定された目的地までの自車現在位置からの最適な案内経路を算出し、液晶ディスプレイ６に表示された地図上に重ねて表示する。ユーザは液晶ディスプレイ６に表示された案内経路に沿って車両を進めると、ＣＰＵ２０は、現在位置情報と地図データ上の道路ネットワークデータを基に、液晶ディスプレイ６に表示された地図を進行方向側に順次スクロールしながら自車マークの位置を順次更新してゆく。車両が案内経路中の分岐点などに差し掛かると、地図データに付加された音声案内がスピーカ１４から出力される。
【００１９】
次に、本実施の形態におけるタッチモードとリモコンモードの切り替え動作について、図２のフロー図を参照して説明する。まず装置を起動して液晶ディスプレイ６にメニュー画面を表示する（ステップＳ１）。本実施の形態では、メニュー画面の表示モードはタッチモードが初期設定となっている。ユーザがこの表示画面を見ながら指で選択項目をタッチすると、ＣＰＵ２０は、タッチパネル７からの入力信号かリモコン９からの入力信号かを判断し（ステップＳ２）、タッチパネル７からの入力信号であると判断した場合には、現在の表示モードがタッチモードであるかリモコンモードであるかを判断する（ステップＳ３）。ここではタッチモードになっているので、ＣＰＵ２０はタッチモードと判断し、表示制御部１８に指示して、ユーザが指示した選択項目に対応する次の画面データを液晶ディスプレイ６に送り、液晶ディスプレイ６の画面上に表示する（ステップＳ８）。また、現在の表示モードがリモコンモードである場合には、タッチモード／リモコンモード切替手段２１が表示モードをタッチモードに切り替え（ステップＳ４）、表示制御部１８が、タッチモードにおけるユーザが指示した選択項目に対応する次の画面データを液晶ディスプレイ６に送り、液晶ディスプレイ６の画面上に表示する（ステップＳ８）。
【００２０】
タッチモードで表示されたメニュー画面において、ユーザがリモコン９を操作して画面上の選択項目を選択した場合には（ステップＳ５）、ＣＰＵ２０がこれを識別して、その時点の表示モードがタッチモードの場合は（ステップＳ６）、表示モードをリモコンモードに切り替え（ステップＳ７）、表示制御部１８が、リモコンモードにおけるユーザが指示した選択項目に対応する次の画面データを液晶ディスプレイ６に送り、液晶ディスプレイ６の画面上に表示する（ステップＳ８）。そして、必要な選択項目の選択が終了するまで、以上の処理を繰り返す（ステップＳ９）。
【００２１】
図３は本実施の形態における表示画面の遷移例を示している。図３（ａ）はタッチモードにおけるメニュー画面の次の画面を示しており、メニュー画面における「行き先」「情報」「設定」の選択項目から「行き先」を指でタッチすると、「自宅へ帰る」「地図で決める」「住所で決める」「ジャンルで決める」の４つの選択項目が表示される。続いて「次へ」の選択ボタンをタッチすると、図３（ｂ）のように「行き先」における残りの選択項目、「登録ポイントで決める」「名称で決める」「ＴＥＬで決める」が表示される。このように、タッチモードによる表示画面は、指でタッチすることによる制約から表示枠および表示文字が大きく作られており、見やすい反面、画面に一度に表示できる選択項目数が少なくなっている。これに対して、図３（ｃ）はメニュー画面の「行き先」をリモコンで選択した場合の画面であり、「自宅へ帰る」から「ＴＥＬで決める」までの７つの選択項目が一度に画面に表示されている。このため、表示枠および表示文字が小さく作られており、画面に一度に表示できる選択項目数が多くなっている。このような画面から「ジャンルで決める」をリモコンで選択すると、図３（ｄ）のように「公共」「交通」「文化」「遊・泊」「買物」「スポット」などのジャンル項目と、各ジャンル項目における区分項目、例えば公共施設では「公園」「ＪＡＦ」、交通施設では「駅」「交差点」「空港」などの区分項目がリモコンモードで表示される。この画面から、リモコンによりジャンル項目および区分項目をジョイスティック／実行ボタンで選択する。これに対して、図３（ａ）の画面で「ジャンルで決める」を指で選択すると、まずジャンル項目が表示され、ジャンル項目を指で選択すると次画面でその区分項目が表示される。
【００２２】
現在表示されている表示モードとは異なる入力手段で入力が行われた場合には、表示画面が次画面に切り替わる。例えば、タッチモードで図３（ａ）の画面が表示されている状態で、リモコンで「ジャンルで決める」が選択された場合には、図３（ｄ）の画面に遷移する。また、リモコンモードで図３（ｃ）の画面が表示されている状態で、「情報」または「設定」を指でタッチすると、それぞれの区分項目の画面が表示される。このように、画面が切り替えられた場合に、次の画面を表示することにより、操作を繰り返して行う必要がないので、操作性が良くなる。
【００２３】
このように、本実施の形態によれば、入力手段として、液晶ディスプレイ６の前面に設けたタッチパネル７と、液晶ディスプレイ６の前面パネルの一部に設けた受光部１０に対して赤外線を発するリモコン９とを備え、ＣＰＵ２０がタッチパネル７からの入力かまたはリモコン９からの入力かを判別し、タッチモード／リモコンモード切替手段２１が表示画面をいずれかの入力に対応するモードに切り替えるので、簡単な操作によりタッチモードの表示画面とリモコンモードの表示画面とを切り替えることができ、ユーザは表示モードが何であるかを意識することなく、自分が選択した入力手段により画面上の選択項目を選択することができる。
【００２４】
なお、上記実施の形態では、外部入力手段としてリモコン９を例にして説明したが、マイク１３からの音声入力があった場合には、タッチモードを音声入力モードに切り替えるようにしてもよく、音声入力モードにおいてタッチパネル７にタッチが検出された場合には、タッチモードに切り替えるようにしてもよい。
【００２５】
また、上記実施の形態では、現在の表示モードとは異なる入力手段で選択項目を選択した場合には、その入力に対応する表示モードで次の表示画面を表示するようにしたが、次の表示画面ではなく、切り替えられた表示モードにおける同じ段階の画面を表示してもよく、さらに前の段階の画面、または最初のメニュー画面に戻って表示するようにしてもよい。
【００２６】
【発明の効果】
以上説明したように、本発明の画像表示装置および車載用ナビゲーション装置は、タッチ入力手段からの入力かまたは外部入力手段からの入力かを判断して、タッチ入力モードで画像を表示中に外部入力手段から入力があった場合には、表示画面を外部入力モードに切り替え、外部入力モードで画像を表示中にタッチ入力手段から入力があった場合には、表示画面をタッチ入力モードに切り替えるようにしたので、ユーザは表示モードが何であるかを意識することなく、自分が選択した入力手段により画面上の選択項目を選択することができ、操作性が向上するとともに、画面上の選択項目の表示をそれぞれの表示モードに適した大きさやデザインを用いて効果的に行うことができる。
【図面の簡単な説明】
【図１】本発明の実施の形態における画像表示装置を備えた車載用ナビゲーション装置の構成を示すブロック図
【図２】本発明の実施の形態における表示画面切替処理を示すフロー図
【図３】本発明の実施の形態における表示画面切替時の画面遷移例を示す模式図
【符号の説明】
１  方位センサ
２  車速センサ
３  各種センサ
４  ＤＶＤ−ＲＯＭ
５  ＤＶＤ−ＲＯＭドライブ
６  液晶ディスプレイ
７  タッチパネル
８  ＧＰＳ受信機
９  リモコン
１０  受光部
１１  装置本体
１２  センサ信号処理部
１３  マイク
１４  スピーカ
１５  音声認識装置
１６  記憶部
１７  画像プロセッサ
１８  表示制御部
１９  音声プロセッサ
２０  ＣＰＵ
２１  タッチモード／リモコンモード切替手段
２２  通信インターフェイス
２３  車内ＬＡＮ
【図１】
2004252820.tif 000003
【図２】
2004252820.tif 000004
【図３】
2004252820.tif 000005